(57)【要約】【課題】設計上の困難性を伴うことなく種々の遊泳動作を容易に現出させることを可能とする。【解決手段】生餌としての小魚を模したボディ２０と、該ボディ２０の前部から突設されたリップ６０とを備えて構成され、前記ボディ２０は、芯材３０と、該芯材３０を覆った軟質合成樹脂製の被覆材５０とを備え、前記リップ６０は、被覆材５０を介してボディ２０に接続されている。【選択図】  図１
2004222577.tif 000002
【特許請求の範囲】
【請求項１】
フィッシング時に疑似餌として使用されるルアーであって、ボディと、該ボディの前部から突設されたリップとが備えられ、少なくとも前記ボディは、軟質合成樹脂を備えて構成され、前記リップは前記軟質合成樹脂を介してボディに一体に接続されていることを特徴とするルアー。
【請求項２】
前記ボディは、芯材と、該芯材を覆った軟質合成樹脂製の被覆材とを備え、前記リップは、被覆材を介してボディに接続されてなる請求項１記載のルアー。
【請求項３】
前記ボディは、後尾部分が略被覆材のみで形成されてなる請求項２記載のルアー。
【請求項４】
前記リップは、軟質合成樹脂製である請求項１乃至３のいずれかに記載のルアー。
【発明の詳細な説明】
【０００１】
【発明の属する技術分野】
本発明は、フィッシング時に疑似餌として使用されるルアーに関するものである。
【０００２】
【従来の技術】
フィッシング時に疑似餌として使用されるルアーは、通常、小魚の形状を模したボディと、このボディの頭部から前方ヘ向けて若干下向きに突出した平板状のリップとを備えて構成されている。ボディの適所（尾部や腹部）には釣針が付設されているとともに、リップには釣糸が結着されるようになっている。かかるルアーは、水中に投げ入れられた状態で釣竿や当該釣竿に付設されたリール等の操作による釣糸を介した引張り操作（例えばリーリング）により水中を擬似的に遊泳させられる。
【０００３】
そして、ボディから下向きに斜めに突設されたリップは、リーリング操作時等に相対的な水流を受け、これによってルアーは横方向に揺れながら潜行することになる。このときのルアーの挙動が小魚の遊泳姿に酷似しているため、釣り対象魚は本物の生餌と認識して当該ルアーに食い付き易くなる。
【０００４】
ところで、近年、釣り人口の増加によって釣り対象魚の学習が進み、ルアーが横方向に揺動しながら潜行するという定常的な動きだけでは、当該釣り対象魚がルアーを疑似餌であると見破ってしまい、その結果食い付きが悪くなってきたという現象が見られることから、釣り対象魚に対してさらなるアピールを行い得るルアーの出現が嘱望されていた。
【０００５】
かかる嘱望に応えるべく、出願人は、先に特許第２９７５５９８号公報に記載されているようなルアーを提案した。このルアーは、全体的に硬質合成樹脂などの硬質材料によって形成されているとともに、リップとボディとの間に棒状のステイを介在させ、このステイの幅方向の厚み寸法をリップの幅寸法に対して相当に薄くするというものである。かかるルアーによれば、リーリング操作時に水流の抵抗でステイが左右方向に撓むことによりリップの方向が変化し、このときの操舵機能でルアーがイレギュラーな動きを行うため、当該ルアーは小魚の遊泳状態をさらに忠実に模擬し得るものとなり、これによってルアーに対する釣り対象魚の食い付きがさらに良好になることが期待される。
【０００６】
【特許文献１】
特許第２９７５５９８号公報
【０００７】
【発明が解決しようとする課題】
しかしながら、上記のような特許第２９７５５９８号公報に記載のルアーにあっては、当該ルアーが全体的に硬質材料によって形成されているため、水流によってステイを容易かつ適正に湾曲させようとすれば、当該ステイの形状や厚み寸法等を適正に設定しなければならず、設計上で非常な困難を伴うという問題点が存在する。
【０００８】
本発明は、上記のような問題点を解消するためになされたものであり、設計上の困難性を伴うことなく種々の遊泳動作を容易に現出させることが可能なルアーを提供することを目的としている。
【０００９】
【課題を解決するための手段】
請求項１記載の発明は、フィッシング時に疑似餌として使用されるルアーであって、ボディと、該ボディの前部から突設されたリップとが備えられ、少なくとも前記ボディは、軟質合成樹脂を備えて構成され、前記リップは前記軟質合成樹脂を介してボディに一体に接続されていることを特徴とするものである。
【００１０】
この発明によれば、水面へ向けてキャスティングされたルアーは、釣竿の操作で釣糸を介して手繰り寄せられることにより、例えば小魚などの水棲生物が遊泳している状況が擬似的に現出される。かかるルアーは、少なくともボディが軟質合成樹脂を備えて構成され、しかも、リップは軟質合成樹脂を介してボディに一体に接続されているため、ルアーの進行に伴って生じる相対的な水流の抵抗でリップが横揺れすることが前記接続部分の弾性変形によって容易に行われる。
【００１１】
したがって、通常のリーリング（手繰り寄せ）によってもリップが横方向に揺れ動き易く、これによる水流の変化でルアーは例えば水棲生物が活発に遊泳している状態に擬似するばかりか、釣竿を左右に振らせるようなアクションを加えたり、手前にしゃくることによる強い相対水流の発生でリップが急激に方向転換し、これによるイレギュラーな運動でルアーはますます本物の生餌のようになるため、従来にも増して釣果を上げることができる。
【００１２】
そして、ルアーは、少なくともボディを軟質合成樹脂製にするという簡単な構造によって当該軟質合成樹脂の弾性変形でリップを揺らせることが可能になるため、従来の全体的に硬質の合成樹脂によって形成され、且つリップとボディとの接合部分に細いステイを介設したものに比べて、ステイの設計条件を種々検討しなければならないという困難さから開放され、設計コストの低減化に貢献した上で形状設定の自由度が各段に大きくなり、しかも釣果の向上にも寄与するものになる。
【００１３】
請求項２記載の発明は、請求項１記載の発明において、前記ボディは、芯材と、該芯材を覆った軟質合成樹脂製の被覆材とを備え、前記リップは、被覆材を介してボディに接続されてなることを特徴とするものである。
【００１４】
この発明によれば、リップとボディとの接続部分に軟質合成樹脂製の被覆材が介設されているため、当該被覆材の弾性変形によりリップを容易に揺動させることができる。
【００１５】
請求項３記載の発明は、請求項２記載の発明において、前記ボディは、後尾部分が略被覆材のみで形成されてなることを特徴とするものである。
【００１６】
この発明によれば、水中に没したルアーをリーリングによって引き寄せたり、釣竿を左右にアクションすることにより、軟質合成樹脂製の被覆材のみによって形成されているボディの後尾部が水流の影響で左右に揺動するため、小魚などの水棲生物が尾を震わせて遊泳している姿がより忠実に再現される。
請求項４記載の発明は、請求項１乃至３のいずれかに記載の発明において、前記リップは、軟質合成樹脂製であることを特徴とするものである。
【００１７】
この発明によれば、少なくともボディのリップに対する接続部分が軟質合成樹脂によって形成されていることに加え、リップそのものも軟質合成樹脂製であることにより当該リップは自身が撓み得るようになるため、リップは釣り人のアクションに敏感に反応して揺動し、これによってルアーはより俊敏に方向転換し得るようになる。
【００１８】
【発明の実施の形態】
図１は、本発明に係るルアーの一実施形態を示す一部切欠き斜視図であり、図２は、そのＡ−Ａ線断面図である。これらの図に示すように、ルアー１０は、本体であるボディ２０と、このボディ２０の頭部２１から前方に向けて突設されたリップ６０とを備えた基本構成を有している。
【００１９】
前記ボディ２０は、本実施形態においては、小魚の形状を模して形成されている。かかるボディ２０は、硬質合成樹脂製の芯材３０と、一部が該芯材３０に埋設された針金４０と、芯材３０および針金４０を覆った被覆材５０とを備えて構成されている。
【００２０】
前記芯材３０は、ボディ２０の主に腹部に対応する部分に埋設され、これによってボディ２０の頭部２１と後尾部２２には硬い芯が存在しない状態になっている。
【００２１】
前記針金４０は、側面視でＴ字状になるように環状に形成され、Ｔ字状の横棒に対応する横棒部４１と、同縦棒に対応する縦棒部４２とからなっている。横棒部４１および縦棒部４２は、これらのほとんどの部分が芯材３０に埋設されている。そして、横棒部４１は、その後端部（図２の右方）が被覆材５０を介して外部に突出され、この突出された部分に環状を呈した尾部針掛環４３が形成されている。また、縦棒部４２は、その下端部が被覆材５０を介して外部に突出され、この部分に腹部針掛環４４が形成されている。
【００２２】
これら尾部針掛環４３および腹部針掛環４４には、それぞれ連結環４５を介して釣針４６が装着されるようになっている。
【００２３】
また、針金４０には、その縦棒部４２における縦棒部４２より前方（図２の左方）位置に球状のウエイト４７が外嵌装着され、これによってルアー１０の浮力調整が行われている。
【００２４】
前記被覆材５０は、非常に柔軟に弾性変形し得る軟質合成樹脂を原料として形成されている。軟質合成樹脂としては、エラストマー系やシリコン系のもの、さらにはアクリル系やウレタン系のもの等が好適に使用される。かかる被覆材５０は、針金４０を備えた芯材３０を所定の金型に装填し、当該金型のキャビティ内周面と芯材３０の外周面との間の隙間に溶融状態の軟質合成樹脂を注入する、いわゆる一体成形法によって形成されている。なお、この一体成形処理においては前記リップ６０も金型に装填されるが、これについては後に詳述する。
【００２５】
そして、芯材３０が被覆材５０によって被覆されることによりボディ２０が形成された状態では、当該ボディ２０の頭部２１は、内部に芯材３０が存在せずに軟質合成樹脂からなる被覆材５０のみによって形成されているため、容易に弾性変形して撓み易い状態になっている。なお、本実施形態では、頭部２１は幅方向に扁平に形成されているため、左右方向に柔軟に撓み得るようになっている。
【００２６】
また、ボディ２０の後尾部２２は、内部に針金４０の横棒部４１が存在するだけであり、しかも当該針金４０として充分に細いものが採用されているため、頭部２１と同様に左右方向に容易に揺動し得るようになっている。
【００２７】
前記リップ６０は、ボディ２０の頭部２１先端に連設されて整流板の働きをするものであり、平面視で楕円状を呈したリップ本体６１と、該リップ本体６１の基端部（図２の左方）に設けられた断面視で矩形状のステイ６２とを備えて構成されている。かかるリップ６０は、ステイ６２がボディ２０の頭部２１先端に埋設されることにより当該頭部２１に接続されている。そしてリップ６０が頭部２１に接続された状態で、リップ本体６１がボディ２０の延びる方向に対して先下がりに傾斜するように方向設定されている。
【００２８】
前記リップ本体６１には、その基端位置であって前後方向に延びる中心線上にリップ部針掛環６３が取り付けられている。このリップ部針掛環６３には、連結環６４を介して釣糸６５が接続されるようになっている。
【００２９】
前記ステイ６２は、リップ本体６１の前後方向に延びる中心線に沿うように当該リップ本体６１の後端縁から後方に向けて突設されている。かかるステイ６２は、リップ本体６１と一体に形成された角柱状のステイ本体６２ａと、このステイ本体６２ａの基端部で全周に亘って径方向に突設されたフランジ部６２ｂとからなっている。
【００３０】
そして、リップ６０は、前記フランジ部６２ｂがボディ２０の頭部２１に埋設されることによって確実な抜け止め状態でボディ２０に連結されるようになっている。
【００３１】
かかるリップ６０は、針金４０を備えた芯材３０と、当該リップ６０のフランジ部６２ｂとを所定の金型のキャビティ内に所定の位置関係で装填し、当該金型のキャビティ内周面と、芯材３０の外周面およびフランジ部６２ｂの外周面との間に形成された隙間に溶融状態の軟質合成樹脂を注入する、いわゆる一体成形法が施されることにより、ボディ２０に一体的に抜け止め状態で連結されるようになっている。
【００３２】
図３は、本実施形態に係るルアー１０の作用を説明するための説明図であり、（イ）は、釣糸６５を真っ直ぐに引き寄せた状態、（ロ）は、釣糸６５を向かって右にアクションした状態、（ハ）は、釣糸６５を向かって左にアクションした状態をそれぞれ示している。なお、図３において▲１▼は斜視図であり、▲２▼は正面図である。
【００３３】
まず、釣竿の操作で釣糸６５を釣人に向かって真っ直ぐに引き寄せたときには、リップ本体６１に対する相対的な水流Ｗ（太い破線で表示）は、図３の（イ）に示すように、リップ本体６１に衝突したのち当該リップ本体６１の中心線を境にして左右に均等に分流されるため、リップ本体６１には左右いずれかに偏った力が加わることはなく、したがってルアー１０は、順次潜行しながら釣人に向かって真っ直ぐに前進してくることになる。
【００３４】
つぎに、釣竿をしゃくって釣糸６５をルアー１０に向かって右側へ引くと、このときの引張り力によって、図３の（ロ）−▲１▼〜▲２▼に示すように、ボディ２０の軟質合成樹脂のみからなる頭部２１が向かって右方へ撓み、これによってリップ本体６１がボディ２０に対してステイ６２の基端回りに右方へ振れる。したがって、リップ本体６１に衝突した水流Ｗは、そのほとんどがリップ本体６１の向かって左側へ逃げるため、リップ本体６１には当該水流Ｗに押されて右方へ向かう力Ｆが作用することになり、これによってルアー１０は右方へ向けて敏感に方向転換することになる。
【００３５】
これとは逆に釣竿をしゃくって釣糸６５をルアー１０に向かって左方へ引くと、このときの引張り力によってボディ２０の頭部２１が左方へ撓み、リップ本体６１が左方へ振れることによる水流Ｗの前記と逆の作用でルアー１０は左方へ向けて敏感に方向転換することになる。
【００３６】
また、このようなルアー１０の方向変換において、ボディ２０の後尾部２２は、針金４０を除いて軟質合成樹脂製の被覆材５０のみで柔軟に形成されているため、水の抵抗によって小魚が尾びれを動かすように揺動し、これによってより効果的に釣り対象魚に本物の生餌と認識させ得るようになる。
【００３７】
以上詳述したように、本実施形態に係るルアー１０は、生餌としての小魚を模したボディ２０と、該ボディ２０の前部から突設されたリップ６０とを備えて構成され、前記ボディ２０は、芯材３０と、該芯材３０を覆った軟質合成樹脂製の被覆材５０とを備え、前記リップ６０は、被覆材５０を介してボディ２０に連結されているため、水面へ向けてキャスティングしたルアー１０を釣竿の操作で釣糸６５を介して引き寄せることにより、後尾部２２が左右に振れるなどして小魚が遊泳している状態を擬似的に現出させることができる。
【００３８】
また、リップ６０は、そのステイ６２がボディ２０の軟質合成樹脂の被覆材５０のみからなる頭部２１に抜け止め状態で埋設された状態でボディ２０に連結されているため、通常のリーリングによってもリップ６０が水流Ｗの抵抗を受けて若干横方向に揺れ動き、これによる水流の変化でルアー１０は小魚が活発に遊泳している状態に擬似するばかりか、釣竿を左右に振らせるアクションを加えたり、手前にしゃくることによる強い水流Ｗでリップ６０が急激に方向転換し、これによるイレギュラーな運動でルアー１０はますます本物の生餌のようになり、釣果を上げることができる。
【００３９】
そして、ルアー１０は、少なくともボディ２０の被覆材５０を軟質合成樹脂製にするという簡単な構造によって当該軟質合成樹脂の弾性変形によりリップ６０を容易に揺らせることが可能になるため、従来の全体的に硬質の合成樹脂によって形成され、且つリップとボディとの接合部分に細いステイを介設したものに比べて、リップを揺らせるためにステイの設計条件を種々検討しなければならないという困難さが解消され、設計コストの低減化に貢献した上で形状設定の自由度が各段に大きくすることができる。
【００４０】
本発明は、上記の実施形態に限定されるものではなく、以下の内容をも包含するものである。
【００４１】
（１）上記の実施形態においては、ボディ２０は、被覆材５０に芯材３０が埋設されることによって形成されているが、本発明は、ボディ２０が被覆材５０内に芯材３０を埋設することによって形成されることに限定されるものではなく、ボディを全体的に軟質合成樹脂によって形成してもよい。この場合、針金４０は、芯材３０を介することなく軟質合成樹脂製のボディ内に直接埋設される。
【００４２】
（２）上記の実施形態においては、ボディ２０内に芯材３０を介して側面視でＴ字状を呈するように加工された針金４０が埋設されているが、本発明は、かかる針金４０を埋設することに限定されるものではなく、特に設けなくてもよい。この場合、尾部針掛環４３および腹部針掛環４４は、針金４０の横棒部４１および縦棒部４２が存在しない状態で直接ボディ２０に装着し得るように、例えば「８の字」状に形状設定されたものが採用されることになる。
【００４３】
（３）上記の実施形態においては、リップ６０は硬質合成樹脂によって形成されているが、本発明は、リップ６０が硬質合成樹脂製であることに限定されるものではなく、軟質合成樹脂製であってもよい。こうすることによって、ボディ２０側のみではなくリップ６０側も柔軟に弾性変形する（特にステイ本体６２ａが弾性変形する）ため、ルアー１０は釣竿のアクションに対してより敏感に反応し得るものになる。
【００４４】
（４）上記の実施形態においては、ボディ２０内にウエイト４７が内装されているが、本発明は、ボディ２０内にウエイト４７を内装することに限定されるものではなく、状況に応じて特に設けなくてもよい。また、ウエイト４７を採用する場合は、例えば図１および図２に示すように固定式で芯材３０に内装するのではなく、芯材３０の内部に形成された前後方向に延びる空洞内で転動するようにウエイト４７を内装してもよい。
【００４５】
（５）上記の実施形態においては、ボディ２０が芯材３０と、この芯材３０を覆った被覆材５０とを備えて構成されているが、こうする代わりにボディ２０を全体的に硬質合成樹脂で形成し、当該ボディ２０と硬質合成樹脂製のリップ６０との間に軟質合成樹脂製のステイ６２を介設してもよい。この場合、ボディ２０とステイ６２とを合わせてボディとみなすことにより、ルアーは、本発明の請求項１の「少なくともボディは、軟質合成樹脂（ステイ６２）を備えて構成され、リップは前記軟質合成樹脂を介してボディに一体に接続されている」という要件を満たしたものになる。
【００４６】
（６）図４は、ルアー１０ａの他の実施形態を示す側面視の断面図である。この図に示すように、この実施形態のルアー１０ａは、ボディ２０ａおよびリップ６０ａの双方が一体的に軟質合成樹脂によって形成されている。また、先の実施形態のような芯材３０は採用されておらず、芯材３０に代わるものとしてＴ字状を呈した針金製の中芯８０が採用されている。
【００４７】
前記中芯８０は、１本の針金からなるＴ字の横棒に対応した横棒部８１と、Ｔ字の縦棒に対応した縦棒部８２とからなっている。前記横棒部８１は、前後方向に延びる中心線に沿ってボディ２０ａに貫通され、さらにリップ６０ａのステイ６２を前後方向に貫通してリップ本体６１内に導かれ、前端部がリップ本体６１の上面から外部に臨ませられている。また、縦棒部８２は、横棒部８１の略中央部から下方に向けて分岐され、その下端部がボディ２０ａの腹部から外部に臨ませられている。
【００４８】
そして、横棒部８１の後端部には、尾部針掛環８３が一体に形成されているとともに、同前端部にはリップ部針掛環８４が一体に形成されている。また、縦棒部８２の下端部には、腹部針掛環８５が一体に形成されている。
【００４９】
この実施形態のルアー１０ａによれば、ボディ２０ａおよびリップ６０ａの双方が、針金製（例えばワイヤー）等、弾性変形可能な中芯８０を除いて軟質の合成樹脂によって形成されているため、ボディ２０ａおよびリップ６０ａの双方は全体的に柔軟に撓むことが可能になり、釣竿によるアクションにより良好に反応し得るようになる。
【００５０】
特にリップ６０ａまでもが軟質合成樹脂製であるため、当該リップ６０ａは自身が撓み得ることで釣り人のアクションに敏感に反応することが可能になり、これによってルアー１０ａはより俊敏に方向転換することができる。
【００５１】
【発明の効果】
以上詳述したように、本発明にかかるルアーは、フィッシング時に疑似餌として使用されるものであり、ボディと、該ボディの前部から突設されたリップとを有し、少なくともボディを、軟質合成樹脂を備えて構成し、リップを軟質合成樹脂を介してボディに接続しているため、水面へ向けてキャスティングされたルアーは、釣竿の操作で釣糸を介して手繰り寄せられることにより、小魚などの水棲生物が遊泳している状況を擬似的に現出することができる。かかるルアーは、少なくともボディが軟質合成樹脂を備えて構成されているため、リップのボディに対する接続部分に軟質合成樹脂が存在するようにしておけば、ルアーの進行に伴って生じる相対的な水流の抵抗によってリップを接続部分の弾性変形により容易に横揺れさせることができる。
【００５２】
したがって、通常のリーリング（手繰り寄せ）によってもリップが横方向に揺れ動き、これによる水流の変化でルアーは水棲生物が活発に遊泳している状態に擬似するばかりか、釣竿を左右に振らせるアクションを加えたり、手前にしゃくることによる強い水流でリップが急激に方向転換し、これによるイレギュラーな運動でルアーはますます本物の生餌のようになるため、釣果を上げることができる。
【００５３】
そして、ルアーは、少なくともボディを軟質合成樹脂製にするという簡単な構造によって当該軟質合成樹脂の弾性変形でリップを揺らせることが可能になるため、従来の全体的に硬質の合成樹脂によって形成され、且つリップとボディとの接続部分に細いステイを介設したものに比べて、ステイの設計条件を種々検討しなければならないという困難さが解消され、設計コストの低減化に貢献した上で形状設定の自由度を各段に大きくすることができる。
【図面の簡単な説明】
【図１】本発明に係るルアーの一実施形態を示す一部切欠き斜視図である。
【図２】図１に示すルアーのＡ−Ａ線断面図である。
【図３】本実施形態に係るルアーの作用を説明するための説明図であり、（イ）は、釣糸を真っ直ぐに引き寄せた状態、（ロ）は、釣糸を向かって右にアクションした状態、（ハ）は、釣糸を向かって左にアクションした状態をそれぞれ示している。なお、この図において添え字の▲１▼は斜視図であり、同▲２▼は正面図である。
【図４】ルアーの他の実施形態を示す側面視の断面図である。
【符号の説明】
１０，１０ａ  ルアー        ２０，２０ａ  ボディ
２１  頭部                  ２２  後尾部
３０  芯材                  ４０  針金
４１  横棒部                ４２  縦棒部
４３  尾部針掛環            ４４  腹部針掛環
４５  連結環                ４６  釣針
４７  ウエイト              ５０  被覆材
６０，６０ａ  リップ        ６１  リップ本体
６２  ステイ                ６２ａ  ステイ本体
６２ｂ  フランジ部          ６３  リップ部針掛環
６４  連結環                ６５  釣糸
８０  中芯                  ８１  横棒部
８２  縦棒部                ８３尾部針掛環
８４  リップ部針掛環        ８５腹部針掛環
Ｗ  水流
【図１】
2004222577.tif 000003
【図２】
2004222577.tif 000004
【図３】
2004222577.tif 000005
【図４】
2004222577.tif 000006